(57)【要約】【課題】加入者を識別する情報を記憶する識別用記憶媒体を用いて、複数の電話番号に対応できる携帯電話機を提供する。【解決手段】ＳＩＭカード２５のフラッシュメモリ３４には、加入者契約情報を中心にデータが格納されている。ここで、加入者契約情報には、複数の電話番号、ＩＭＳＩ、識別暗証番号（ＰＩＮ番号）、通話相手先電話番号等の情報が含まれている。さらに、各登録電話番号ごとに、相手先の電話番号を記憶でき、その相手先の電話番号にかけると、その登録電話番号の契約先に課金ができるようになっている。例えば、勤務会社が設定した登録電話番号に対応づけた相手先電話番号にかけると、会社に課金され、ユーザ個人用電話番号に対応づけた相手先電話番号にかけると、ユーザに課金される。【選択図】図２
2007281745.tif 000002
【特許請求の範囲】
【請求項１】
加入者の識別情報を記憶している識別用記憶媒体を備えて、複数の電話番号に対応できる携帯電話機であって、
前記識別用記憶媒体に一つの契約電話番号を登録し、複数の前記識別用記憶媒体を装着可能であることを特徴とする携帯電話機。
【請求項２】
加入者の識別情報を記憶している識別用記憶媒体を備えて、複数の電話番号に対応できる携帯電話機であって、
一つの前記識別用記憶媒体に複数の契約電話番号を登録し、前記識別用記憶媒体を装着可能であることを特徴とする携帯電話機。
【請求項３】
前記識別用記憶媒体は、登録電話番号の契約先に課金する相手先電話番号が格納され、該相手先電話番号に発信されたときは、前記登録電話番号の契約先に課金されることを特徴とする請求項１又は２に記載の携帯電話機。
【発明の詳細な説明】
【技術分野】
【０００１】
本発明は、ＳＩＭカード等の加入者を識別する情報を記憶する識別用記憶媒体を備えて、複数の電話番号に対応できるようにした携帯電話機に関する。
【背景技術】
【０００２】
携帯電話機の普及に伴い、１台の携帯電話機に複数の電話番号を持たせる要望が高まり、複数電話番号サービスが行われている。
【０００３】
複数番号サービスとしては、米国で行われていたものがある。このサービスは米国内の地域ごとに割拠するローカルのオペレータがその地域で独自の加入契約を施行しているため、米国内を出張などで移動するビジネスマンが複数の電話機を持たなくても携帯電話を利用できるよう実施されたサービスである。具体的には、電話機に複数の無線ＩＤを焼き込み、あたかも一台の電話機を複数の端末であるかのように制御するものである。しかし、電話機個体に複数番号を焼き付けて、複数のオペレーターが管理の権責を有することになるので、故障やソフトバグなどによりトラブルがあったときには、切り分けの責任が不明確になりがちであった。
【０００４】
また、日本でも、複数番号のサービスが登場している。このサービスは、基本の番号の他に、発着信可能な複数の付加番号を新たに設けることができ、仕事やプライベートなど、利用に応じて使い分けることができる。番号ごとに利用料金を分計したり、請求書を分けることも可能であるが、付加番号は機能制限があり、基本番号と同等のサービスは受けられない。
【０００５】
上記のようなサービスを行うための携帯電話機が特許文献１に記載されている。この携帯電話機は、複数の電話番号、該電話番号での発着信が許される使用可能地域、使用日時、前記登録電話番号による発信可能な相手先番号等のデータがＥＥＰＲＯＭ等のメモリに登録されて、複数の電話番号での発着信が可能となっている。
【特許文献１】特開平８−１６７９３６号公報
【発明の開示】
【発明が解決しようとする課題】
【０００６】
しかしながら、携帯電話機内のメモリに付加した電話番号を登録するため、その携帯電話機に付加番号が固定されてしまうという問題がある。例えば、会社用の電話番号と個人用の電話番号を１つの携帯電話に与える場合、様々の制約を受けることになる。例えば、１つ１つの携帯電話機に、電話番号や契約内容等のデータを入力しなくてはならないし、携帯電話機が故障して交換した場合も、再入力が必要となる。また、個人と会社の携帯電話の契約会社が異なる場合に、同一の携帯電話機に登録が可能となるかという問題がある。
【０００７】
また、上記のサービスのように、契約会社が複数ある場合、トラブルに対して携帯電話契約会社の責任分担が不明確となってはユーザの使い勝手が悪いし、また、基本電話番号と付加電話番号で機能差があってもユーザの使い勝手が悪い。
【０００８】
本発明は、斯かる実情に鑑み、加入者を識別する情報を記憶する識別用記憶媒体を用いて、複数の電話番号に対応できる携帯電話機を提供しようとするものである。
【課題を解決するための手段】
【０００９】
本発明は、加入者の識別情報を記憶している識別用記憶媒体を備えて、複数の電話番号に対応できる携帯電話機であって、前記識別用記憶媒体に一つの契約電話番号を登録し、複数の前記識別用記憶媒体を装着可能であることを特徴とするものである。
【００１０】
本発明は、加入者の識別情報を記憶している識別用記憶媒体を備えて、複数の電話番号に対応できる携帯電話機であって、一つの前記識別用記憶媒体に複数の契約電話番号を登録し、前記識別用記憶媒体を装着可能であることを特徴とするものである。
【００１１】
前記識別用記憶媒体は、登録電話番号の契約先に課金する相手先電話番号が格納され、該相手先電話番号に発信されたときは、前記登録電話番号の契約先に課金されることを特徴とする。
【発明の効果】
【００１２】
本発明によれば、１つの携帯電話機に複数の電話番号を対応づけるので、ユーザはビジネスとプライベートなど複数の電話番号ごとに電話機を持ち歩く必要がなくなる。１つの事業者に複数の電話番号を契約すれば、副回線に大幅な割引が可能である。また、複数の電話番号が異なる事業者に所属する番号であっても、使用する電話機のハードにかかわらず独立に管理できるので、論理的にはそれぞれ独立の電話機であるかのように使用できる。
【００１３】
また、相手先電話番号を登録電話番号に対応づけて記憶して、それぞれ課金などが独立に管理でき、混同することなく使い分けて管理できる。
【発明を実施するための最良の形態】
【００１４】
以下に、本願発明の携帯電話機について図面を参照しながら説明する。
【００１５】
図１は、本発明に係る携帯電話機と通信ネットワークの一実施形態を示すブロック図であり、図２はＳＩＭカードを示すブロック図である。
【００１６】
この携帯電話機１０は、アンテナ１１、通信制御部１２、表示部１３、操作部１４、音声信号処理部１５、マイクロフォン１６、音量制御部１７、スピーカ１８、バイブレータ１９、ライト２０、ＲＡＭ２１、ＲＯＭ２２、各部を制御する制御部２３、カード装着部２４、ＳＩＭ（Subscriber Information Module）カード２５、からなる構成である。この携帯電話機１０は、無線により基地局２６と通信が可能であり、さらに基地局２６は電話回線を含むネットワーク２７を介してサーバ２８とも接続している。サーバ２８には、携帯電話会社と契約した個人の認証データが格納され、携帯電話機のＳＩＭ認証を可能としている。
【００１７】
アンテナ１１によって受信された信号は、通信制御部１２を介して制御部２３に入力される。この信号には、通話信号に加えて、パケットデータも含まれる。パケットデータには、テキストデータ、グラフィックスデータ、プログラムデータなどが含まれる。
【００１８】
制御部２３は、映像表示する信号を表示部１３に出力する。この表示部１３は、入力される映像信号に基づいて映像を表示するものであり、例えば、液晶パネルである。
【００１９】
制御部２３は、通信制御部１２から入力される音声信号に基づいて、予め定められた処理を実行して音量制御部１７に音声信号を出力する。音量制御部１７は、入力される信号を予め定められた設定、あるいは操作部１４を介して入力される設定に基づいて変換し、スピーカ１８に出力する。
ここで、操作部１４は、テンキー等の入力キーを備えて、ユーザからの指示を入力するためのものである。
【００２０】
携帯電話機１０のユーザがマイクロフォン１６に対して発した音声は、音声信号処理部１５に入力される。音声信号処理部１５は、予め定められた信号処理を実行して制御部３０に出力する。この処理には、例えば音声信号の出力レベルの調整が含まれる。制御部２３は、予め定められた変換処理を実行して通信制御部１２に音声信号を出力する。通信制御部１２は、制御部２３からの信号に基づいて送信処理を実行する。この送信処理によって生成される信号は、アンテナ１１を介して送信される。
【００２１】
制御部２３は、通信制御部１２から着信信号を受信すると、予め定められた設定に基づいて、バイブレータ１９を振動させるための信号を出力する。バイブレータ１９は、その信号に基づいて振動し、携帯電話機１０のユーザは、電話の着信などを知ることができる。
【００２２】
ライト２０は、制御部２３から出力される信号に基づいて、予め設定された色の光を発する。ライト２０は、制御部２３から点滅の指令が出力された場合には、予め設定された間隔ごとに、点滅する。
【００２３】
ＲＡＭ２１は、上記の各設定を記憶するための各種設定記憶領域、ライト１４２の発光条件その他の各種のデータを記憶するための各種データ記憶領域とを含む。これらの領域に格納されるデータは、操作部１４を介して入力される設定に基づいてユーザが任意に変更することができる。
【００２４】
ＲＯＭ２２は、予め作成された携帯電話機１０の基本的な動作条件を制御するプログラム、あるいは初期データなどを記憶する。なお、ＲＯＭ２２に記憶されるデータは、ＲＡＭ２１に予め記憶されていてもよい。また、ＲＯＭ２２は、ＥＰＲＯＭ（Erasable and Programmable ROM）その他のデータの消去あるいは書き込みが可能なＲＯＭであってもよい。この場合、携帯電話機１０の動作の制御に必要なデータあるいはソフトウェアを逐次更新することができる。
【００２５】
このようにして、携帯電話機１０における処理は、各ハードウェア、および制御部２３あるいは通信制御部１２により実行されるソフトウェアによって実現される。このようなソフトウェアは、ＲＡＭ２１あるいはＲＯＭ２２に予め記憶されている。
【００２６】
ＳＩＭカード２５は、携帯電話側のカード装着部２４に接続するインターフェース部３１、演算処理等のために一旦データを保持するためのＲＡＭ３２、ＯＳ（Operating System）を記憶するＲＯＭ３３、加入者識別データや相手先電話番号等の通信情報を記憶するフラッシュメモリ３４、ＣＰＵ３５から構成される。
【００２７】
ＳＩＭカードには、ＩＭＳＩ(International Mobile Subscriber Identity)と呼ばれる固有の番号が付与されており、これと電話番号を結びつけることにより通信を可能とする。ＳＩＭカードを抜き差しすることで、電話番号を他の携帯電話機に移したり、１つの携帯電話機で複数の電話番号を切替えて使用したりすることができる。
【００２８】
以上が、携帯電話機と通信システムの基本構成であるが、次に複数電話番号に対応した携帯電話機の実施形態について説明する。
【００２９】
＜第１実施形態＞
第１実施形態は、２つの登録電話番号とそれに対する加入者識別情報を記憶したＳＩＭカードを２つ搭載するものである。図３は、ＳＩＭカードの装着構造の一例を示す図である。
ＳＩＭカードは１枚装着可能で、このＳＩＭカード１枚に２つの登録電話番号、例えば、個人用電話番号と会社用電話番号が記憶されている。この場合は、１つの携帯会社に対しして複数の電話番号を契約することを想定している。
【００３０】
携帯電話機１０の側面にＳＩＭカード用のカード装着部２４が設けられている。カード装着部２４は、蓋４２と収納スペース４３を有している。ＳＩＭカード２５は収納スペース４３に挿入され、携帯電話機１０の裏面側に設けた蓋４２を閉めることにより携帯電話機１０の内部に装着される。収納スペース４３の内部には電極端子が備えられ、ＳＩＭカード表面に設けられた端子に接続するようになっている。
【００３１】
ＳＩＭカードの搭載構造は、これに限定されるものではなく、携帯電話機の充電池パック装着部の下側に埋め込むようにＳＩＭカードを装着するタイプ、充電池パック装着部の横側に充電池パックと並列に装着するタイプ等が考えられる。
【００３２】
さて、ＳＩＭカード２５のフラッシュメモリ３４には、加入者契約情報を中心にデータが格納されている。ここで、加入者契約情報には、複数の電話番号、ＩＭＳＩ、識別暗証番号（ＰＩＮ番号）、通話相手先電話番号等の情報が含まれている。さらに、各登録電話番号ごとに、相手先の電話番号を記憶でき、その相手先の電話番号にかけると、その登録電話番号の契約先に課金ができるようになっている。例えば、勤務会社が設定した登録電話番号に対応づけた相手先電話番号にかけると、会社に課金され、ユーザ個人用電話番号に対応づけた相手先電話番号にかけると、ユーザに課金される。また、相手先電話番号がＳＩＭカード２５に記憶されていない場合は、会社あるいはユーザのいずれに課金するかは、設定できるようになっているが、通常、ＳＩＭカード２５に記憶されていない相手番号の場合はユーザ側に課金される。
【００３３】
さて、携帯通信会社がＳＩＭカード２５を発行する際に、加入者契約情報をＳＩＭカード２５に記憶させるとともに、加入者識別情報をサーバ２８に登録しておく。
【００３４】
図４は、携帯電話機が発信する場合の手順を示すフローチャートである。
ユーザが携帯電話機１０の操作部１４から電話番号を入力して発信を行う（ステップＳ１）。携帯電話機１０は、その発信地域の基地局２６とリンクを確立する（ステップＳ２）。携帯電話機１０は、ＳＩＭカードのＩＭＳＩを基地局２６に送る。基地局３６は、このＩＭＳＩをネットワーク２７を介してサーバ２８に送る。サーバ２８は、加入者識別情報のＩＭＳＩに基づいて、予め登録されたＳＩＭカードであるかを識別して、その有効性を判定する（ステップＳ３）。さらには、ユーザがＰＩＮ番号を入力することにより、サーバが記憶しているＰＩＮ番号（個人識別番号）と一致しているかを確認して、使用していているユーザが登録した個人であるかを確認する。ＳＩＭカードの契約携帯電話会社が異なる場合は、それぞれの携帯電話会社の基地局とサーバにおいて確認処理を行う。
【００３５】
ＳＩＭカードとユーザが認証できると、ステップＳ４に進み通話可能となり、認証できなければ、通話できず処理は終了する。
【００３６】
ステップＳ４において、携帯電話機１０の制御部２３は、発信電話番号が、会社用電話番号に対応づけてＳＩＭカードカードに記憶した相手先電話番号か否かを確認する（ステップＳ４）。会社用電話番号に対応づけた相手先電話番号である場合には、契約した勤務会社側に課金がされる設定となり（ステップＳ５）、ユーザは通話を行う（ステップＳ７）。
【００３７】
図５は、携帯電話機が受信する場合の手順を示すフローチャートである。
携帯電話機１０は、基地局２６からアンテナ１１と通信制御部１２を介して制御部２３に信号を受信した場合（ステップＳ１１）、着信電話番号がＳＩＭカード２５に登録されている電話番号かを確認する（ステップＳ１２）。登録電話番号であれば、スピーカ１８、バイブレータ１９、ライト２０を使ってユーザに着信の報知を行う（ステップＳ１３）。そしてユーザは通話を行う（ステップＳ１４）。登録電話番号でなければ、処理を終了する。
【００３８】
第１実施形態では、１つのＳＩＭカードに２つの登録電話番号を記憶していたが、これに限らず、複数の登録電話番号を記憶しておくことが可能である。
【００３９】
このように、１つのＳＩＭカードに複数の登録電話番号を記憶することは、１つの携帯通信会社に対して複数の電話番号を契約した場合、１つのＳＩＭカードですべて処理することができ、処理が簡略化されるとともに、１つのＳＩＭカード済むので、実装上新たな部品も必要なく、体積や重量が増すこともない。また、携帯会社が１社で済むため、副回線になる電話番号に大幅な割引をすることができる。
【００４０】
また、１つの携帯電話機に複数の電話番号を対応づけるので、ユーザはビジネスとプライベートなど複数の電話番号ごとに電話機を持ち歩く必要がなくなる。また、相手先電話番号を登録電話番号に対応づけて記憶して、それぞれ課金などが独立に管理でき、混同することなく管理できる。
【００４１】
＜第２実施形態＞
第２実施形態は、１つの電話番号を記憶したＳＩＭカードを複数装着可能な携帯電話機である。図６は、複数のＳＩＭカードの装着構造の一例を示す図である。
【００４２】
ＳＩＭカードは２枚装着可能で、例えば個人用電話番号を登録するＳＩＭカード２５ａと、会社用電話番号を登録したＳＩＭカード２５ｂを装着可能である。そして図３に示した構造と同じものが並列に２つ備えられているので、詳しい説明は省略する。
【００４３】
ＳＩＭカードの搭載構造は、これに限定されるものではなく、携帯電話機の充電池パック装着部の下側に埋め込むようにＳＩＭカードを装着するタイプ、充電池パック装着部の横側に充電池パックと並列に装着するタイプが考えられる。
【００４４】
発信、着信の手順は図４、図５と同じなので、説明は省略する。
なお、第２実施形態では、２つのＳＩＭカードを装着していたが、これに限らず、複数のＳＩＭカードを装着することが可能である。
【００４５】
このように、１つの電話番号を記憶したＳＩＭカードを複数装着するので、異なる通信会社と複数契約できる。複数のＳＩＭカードを装着するので、装着部品も増えることになるが、電話番号を解約・変更するときは、ＳＩＭカードごとに簡単にできるというメリットがある。
【００４６】
また、１つの携帯電話機に複数の電話番号を対応づけるので、ユーザはビジネスとプライベートなど複数の電話番号ごとに電話機を持ち歩く必要がなくなる。また、相手先電話番号を登録電話番号に対応づけて記憶して、それぞれ課金などが独立に管理でき、混同することなく管理できる。
【図面の簡単な説明】
【００４７】
【図１】本発明に係る携帯電話機と通信ネットワークの一実施形態を示すブロック図である。
【図２】ＳＩＭカードを示すブロック図である。
【図３】ＳＩＭカードの装着構造の一例を示す図である。
【図４】携帯電話機が発信する場合の手順を示すフローチャートである。
【図５】携帯電話機が受信する場合の手順を示すフローチャートである。
【図６】複数のＳＩＭカードの装着構造の一例を示す図である。
【符号の説明】
【００４８】
１０  携帯電話機
１１  アンテナ
１２  通信制御部
１３  表示部
１４  操作部
１５  音声信号処理部
１６  マイクロフォン
１７  音量制御部
１８  スピーカ
１９  バイブレータ
２０  ライト
２３  制御部
２４  カード装着部
２５  ＳＩＭカード
２５ａ，２５ｂ  ＳＩＭカード
２６  基地局
２７  ネットワーク
２８  サーバ
３０  制御部
３１  インターフェース部
３４  フラッシュメモリ
３６  基地局
４２  蓋
４３  収納スペース
【図１】
2007281745.tif 000003
【図２】
2007281745.tif 000004
【図３】
2007281745.tif 000005
【図４】
2007281745.tif 000006
【図５】
2007281745.tif 000007
【図６】
2007281745.tif 000008